(57)【要約】      （修正有）【課題】パチンコ用の椅子カバー本体を裏返すだけで防災頭巾にすることが出来る防災機能付きパチンコ椅子カバーを提供する。【解決手段】１側に開口部を有する頭部カバー用のフード部と、前記フード部から延びる肩カバー用の肩当て部からなる防災頭巾状の椅子用カバー１０であって、椅子の背もたれ部を覆う後面カバーシートと、前記フード部の他面の表面が着座者の背中及び腰部分に対応するように前記椅子の背もたれ部を覆う前面カバーシート１２と、前記前面カバーシート１２の１側から前記後面カバーシートの前記開口端と同じ位置まで延びる延長部１３とを含み、前記後面カバーシート１２、前記前面カバーシート及び前記延長部１３の裏面が難燃加工済みの素材からなり、前記袋状の椅子用カバー１０を裏返して頭からかぶると頭部から肩まで保護できる防災頭巾になることを特徴とする。【選択図】図２
0003177590.tif 000002
【実用新案登録請求の範囲】
【請求項１】
１側に開口部を有する頭部カバー用のフード部と、前記フード部から延びる肩カバー用の肩当て部からなる防災頭巾状の椅子用カバーであって、
前記フード部の１面の表面が遊技場の通路側に臨むように椅子の背もたれ部を覆う後面カバーシートと、
前記フード部の他面の表面が着座者の背中及び腰部分に対応するように前記椅子の背もたれ部を覆う前面カバーシートと、
前記前面カバーシートの１側から前記後面カバーシートの前記開口端と同じ位置まで延びる延長部と、
を含み、
前記後面カバーシート、前記前面カバーシート及び前記延長部の裏面が難燃加工済みの素材からなり、前記袋状の椅子用カバーを裏返して頭からかぶると頭部から肩まで保護できる防災頭巾になることを特徴とする防災機能付き椅子カバー。
【請求項２】
前記後面カバーシート、前記前面カバーシート及び前記延長部の裏面は、難燃加工済みのポリエステル素材製であることを特徴とする請求項１記載の防災機能付き椅子カバー。
【請求項３】
前記後面カバーシートの表面に意匠が印刷されていることを特徴とする請求項１または２に記載の防災機能付き椅子カバー。
【考案の詳細な説明】
【技術分野】
【０００１】
本考案は防災機能付き椅子カバーに係り、より詳しくは、椅子カバー本体を裏返すだけで防災頭巾にすることが出来る防災機能付き椅子カバーに関する。
【背景技術】
【０００２】
パチンコ用の椅子には、背もたれ部にカバーが掛けられ、カバー表面にイベント内容や新規導入台の宣伝などの絵柄が描かれて店内雰囲気の盛り上げや、夏期においては清涼感の演出、冬季においては温暖感を出すために効果を上げている。
そのような椅子カバーは、地震などの災害発生時に椅子から取り外して頭からかぶり頭部への損傷を防ぐことも考えられるが、火災発生時にはそれ自体が燃えて被害を拡大する恐れがある。
【先行技術文献】
【特許文献】
【０００３】
【特許文献１】特開２００８−２１２３９４号公報
【特許文献２】特開２００５−６６１５１号公報
【考案の概要】
【考案が解決しようとする課題】
【０００４】
本考案は、パチンコ用の椅子カバー本体を裏返すだけで防災頭巾にすることが出来る防災機能付きパチンコ椅子カバーの提供を目的とする。
【課題を解決するための手段】
【０００５】
本考案は、１側に開口部を有する頭部カバー用のフード部と、前記フード部から延びる肩カバー用の肩当て部からなる防災頭巾状の椅子用カバーであって、前記フード部の１面の表面が遊技場の通路側に臨むように椅子の背もたれ部を覆う後面カバーシートと、前記フード部の他面の表面が着座者の背中及び腰部分に対応するように前記椅子の背もたれ部を覆う前面カバーシートと、  前記前面カバーシートの１側から前記後面カバーシートの前記開口端と同じ位置まで延びる延長部と、を含み、前記後面カバーシート、前記前面カバーシート及び前記延長部の裏面が難燃加工済みの素材からなり、前記袋状の椅子用カバーを裏返して頭からかぶると頭部から肩まで保護できる防災頭巾になることを特徴とする。
【０００６】
前記後面カバーシート、前記前面カバーシート及び前記延長部の裏面は、難燃加工済みのポリエステル素材製であることを特徴とする。
【０００７】
前記後面カバーシートの表面に意匠が印刷されていることを特徴とする。
【考案の効果】
【０００８】
本考案によれば、火災発生時あるいは震災等災害発生時には椅子カバーを取り外し、本体を裏返すことにより素早く防災頭巾とすることができ、頭部及び肩部を障害物から保護することが出来る。
【図面の簡単な説明】
【０００９】
【図１】本考案の椅子カバーの正面図である。
【図２】本考案の椅子カバーの背面図である。
【図３】本考案の椅子カバーの後面から見た斜視図である。
【図４】本考案の椅子カバーを裏返しにした際の斜視図である。
【図５】本考案の椅子カバーを椅子に取り付けた状態図である。
【図６】本考案の椅子カバーを裏返しにして頭巾にした状態を示す図である。
【考案を実施するための形態】
【００１０】
以下図面を参照して本考案の椅子カバーについて詳細に説明する。
図１は、本考案の椅子カバーの正面図、図２は、本考案の椅子カバーの背面面図である。
図３は、本考案の椅子カバーの後面から見た斜視図であり、図４は、本考案の椅子カバーを裏返しにした際の斜視図である。
図５は、本考案の椅子カバーを椅子１５に取り付けた状態図であり、図６は、本考案の椅子カバーを裏返しにして頭巾にした状態を示す図である。
【００１１】
本考案の防災機能付き椅子カバーは、１側に開口部３とゴム紐１４を有する頭部カバー用のフード部１と、フード部１から延びる肩カバー用の肩当て部２からなる防災頭巾状の椅子用カバー１０であって、フード部１の１面の表面が遊技場の通路側に臨むように椅子の背もたれ部を覆う後面カバーシート１１と、フード部１の他面の表面が着座者の背中及び腰部分に対応するように椅子の背もたれ部を覆う前面カバーシート１２と、  前面カバーシート１２の１側から後面カバーシート１１の開口端と同じ位置まで延びる延長部１３と、を含む。
後面カバーシート１１、前面カバーシート１２及び延長部１３の裏面は難燃加工済みの素材からなり、図６に示す通り、袋状の椅子用カバー１０を裏返して頭からかぶると頭部から肩まで保護できる防災頭巾になる。
【００１２】
本考案の実施例では、後面カバーシート１１、前面カバーシート１２及び延長部１３の裏面は、難燃加工済みのポリエステル素材製であり、後面カバーシート１１の表面には意匠が印刷されている。
後面カバーシートの表面には、各種イベント内容や新規導入台の宣伝用文言や絵柄を描くことが出来、店内雰囲気の盛り上げなどに効果を発揮できる。
【００１３】
本考案の防災機能付き椅子カバーによれば、火災発生時あるいは震災等災害発生時には椅子カバーを取り外し、本体を裏返すことにより素早く防災頭巾とすることができ、地震発生時の落下物から頭部及び肩部を保護することが出来る。
本考案の防災機能付き椅子カバーを裏返した状態では表面が難燃加工済みのポリエステル素材製であるため、火災発生時に引火し難い特性を有している。
【符号の説明】
【００１４】
１  フード部
２  肩当て部
３  開口部
１０  椅子用カバー
１１  後面カバーシート
１２  前面カバーシート      
１３  延長部
１４  ゴム紐
１５  椅子
【図１】
0003177590.tif 000003
【図２】
0003177590.tif 000004
【図３】
0003177590.tif 000005
【図４】
0003177590.tif 000006
【図５】
0003177590.tif 000007
【図６】
0003177590.tif 000008